(57)【要約】【課題】戸枠体側の孔加工やクッション材の孔加工を行なう必要がなく、引戸の戸先側にクッション材が取り付けられた状態において形成される中空部を利用して施錠装置の動作部を配設できる引戸装置を提供する。【解決手段】引戸１の戸先側端部に錠箱２５が埋設され、この錠箱２５内に内蔵された駆動部を摘み部２９の操作によって上下させることにより錠箱２５から突出した位置で動作部２４となるロッド２６を昇降させ、ロッド２６の先端側を出入り口の戸先寄りに設けられた係止片に対し係脱自在とする施錠装置２３を備え、引戸１の戸先側端部に断面Ｕ字状のクッション材２２が取り付けられ、クッション材２２の内側に形成される中空部を利用して施錠装置２３の動作部となるロッド２６を配設するようにした。【選択図】図６
2008255729.tif 000002
【特許請求の範囲】
【請求項１】
建物内の部屋の出入り口に設けられる引戸装置であって、
引戸の戸先側端部に錠箱が埋設され、この錠箱内に内蔵された駆動部を摘み部の操作によって上下させることにより錠箱から突出した位置で動作部となるロッドを昇降させ、ロッドの先端側を出入り口の戸先寄りに設けられた係止片に対し係脱自在とする施錠装置を備え、
引戸の戸先側端部に断面Ｕ字状のクッション材が取り付けられ、クッション材の内側に形成される中空部を利用して施錠装置の動作部となるロッドを配設するようにしたことを特徴とする引戸装置。
【発明の詳細な説明】
【技術分野】
【０００１】
本発明は、建物内の部屋の出入り口に設けられる引戸装置に関するものである。
【背景技術】
【０００２】
従来の引戸装置には鍵をかけるために例えば特許文献１に開示されているような鎌錠装置が知られている。この特許文献１に開示されている鎌錠装置は、引戸の縦框の開口部内に設けられた固定枠と、この固定枠内に組み込まれた箱状作動部材と、この箱状作動部材内に装備された鎌片を備え、この鎌片は引戸の縦框から突出して戸枠体の縦枠に取り付けられた掛止金具に係止して引戸を閉じた状態で施錠できるようになっている。
【特許文献１】特開２００１−８２０２０号公報
【発明の開示】
【発明が解決しようとする課題】
【０００３】
上記特許文献１に開示されているような鎌錠装置を用いて引戸を閉じた状態で施錠する場合、鎌片を引戸の縦框から突出する鎌片を係止させるために戸枠体の縦枠に掛止金具を取り付ける必要があり、戸枠体側に掛止金具を嵌め込む孔加工を行なわなければならず、手間がかかるという問題があった。また、引戸の戸先側に引戸を閉じたときに戸枠体側に当接するクッション材を中空状となるように取り付ける場合、鎌片を突出させるべくクッション材の一部に孔を開けて開口させる必要があり、クッション材に孔加工を行なわなければならず、手間がかかるという問題があった。
【０００４】
本発明の目的は、このような課題を解決するものであり、戸枠体側の孔加工やクッション材の孔加工を行なう必要がなく、引戸の戸先側にクッション材が取り付けられた状態において形成される中空部を利用して施錠装置の動作部を配設できる引戸装置を提供することにある。
【課題を解決するための手段】
【０００５】
本発明の請求項１に記載の引戸装置は、建物内の部屋の出入り口に設けられる引戸装置であって、引戸の戸先側端部に錠箱が埋設され、この錠箱内に内蔵された駆動部を摘み部の操作によって上下させることにより錠箱から突出した位置で動作部となるロッドを昇降させ、ロッドの先端側を出入り口の戸先寄りに設けられた係止片に対し係脱自在とする施錠装置を備え、引戸の戸先側端部に断面Ｕ字状のクッション材が取り付けられ、クッション材の内側に形成される中空部を利用して施錠装置の動作部となるロッドを配設するようにしたことを特徴とする。
【発明の効果】
【０００６】
以上のように、本発明の引戸装置は、戸枠体側の孔加工やクッション材の孔加工を行なう必要がなく、引戸の戸先側にクッション材が取り付けられた状態において形成される中空部を有効に利用して施錠装置の動作部となるロッドを昇降自在に配設できる引戸装置を提供することができる。
【発明を実施するための最良の形態】
【０００７】
以下、本発明の一実施の形態を、図１〜図８を用いて具体的に説明する。
図において、１は引戸であって、建物内の部屋の出入り口において上枠２、戸先側竪枠３、戸尻側竪枠４および床部５で形成された開口部を開閉自在に設けられている。
【０００８】
引戸１の上端の戸先寄りおよび戸尻寄りの所定箇所にはそれぞれ上方に延設されたブラケット６，７を介して戸車８，９が回転自在に支持されている。
また、上枠２には、戸先側に少し下向きに傾斜する姿勢で断面ほぼＬ字状の傾斜フレーム１０が固定され、この傾斜フレーム１０に形成されたレール１１上に戸車８，９が転動自在に載置されている。従って、傾斜するレール１１上を戸車８，９が引戸１の自重で戸先側に転動することにより、引戸１が自動的に閉動する。
【０００９】
床部５には引戸１を開閉方向にガイドするガイドローラ１２が立設されている。また、戸尻寄りのブラケット７には、傾斜フレーム１０の戸尻寄りに設けられたストッパー１３と係合するストッパーローラ１４が取り付けられている。なお、上枠２の前面側には点検用カバー１５が設けられている。
【００１０】
前記戸先寄りのブラケット６には制動装置１６が取り付けられている。この制動装置１６は、引戸１が閉じる直前および開き切る直前において引戸１にブレーキを掛けて制動するものであって、ケーシング１７内に設けられた油の流れ抵抗を引戸１が閉じる直前および開き切る直前で受けるようになっている。この制動装置１６のケーシング１７の背面には油の流れ抵抗を引戸１側に伝達させるための軸が水平に突出し、この軸にピニオン１８が取り付けられている。
【００１１】
傾斜フレーム１０の下面側における戸先寄り箇所には上方に向けて歯面が設けられている閉動制動用ラック１９が取り付けられており、引戸１が完全に閉じられる前の所定範囲位置で閉動制動用ラック１９にピニオン１８が噛合するようになっている。
【００１２】
従って、閉動制動用ラック１９にピニオン１８が噛合した状態では、引戸１が閉じる方向に移動しようとすると、ピニオン１８が一方向に回転することにより制動装置１６により閉動動作が制動されるものである。なお、引戸１を開く方向に移動させる場合は閉動制動用ラック１９に噛合するピニオン１８が逆方向に回転するが、その逆方向の回転は制動装置１６には作用せず、制動装置１６は働かないため引戸１を開く方向への移動を軽快に行なうことができる。
【００１３】
また、傾斜フレーム１０の戸尻寄り箇所の上部には断面逆Ｌ字状の補助フレーム２０が取り付けられるとともに、この補助フレーム２０には下方に向けて歯面が設けられている開動制動用ラック２１が取り付けられており、引戸１が完全に開かれる前の所定範囲位置で開動制動用ラック２１にピニオン１８が噛合するようになっている。
【００１４】
従って、開動制動用ラック２１にピニオン１８が噛合した状態では、引戸１が開く方向に移動しようとすると、ピニオン１８が一方向に回転することにより制動装置１６により開動動作が制動されるものである。なお、引戸１を閉じる方向に移動させる場合は開動制動用ラック２１に噛合するピニオン１８が逆方向に回転するが、その逆方向の回転は制動装置１６には作用せず、制動装置１６は働かないため引戸１を閉じる方向への移動を軽快に行なうことができる。
【００１５】
以上のように構成された引戸装置において、本実施の形態では引戸１の戸先側端部に樹脂製で断面Ｕ字状のクッション材２２が取り付けられ、クッション材２２の内側に形成される中空部を利用して施錠装置２３の動作部２４を配設するようにしてある。前記施錠装置２３は引戸１の戸先側端部に錠箱２５が埋設され、この錠箱２５内に内蔵された駆動部を上下させることによって錠箱２５から突出した位置で動作部２４となるロッド２６を昇降させ、ロッド２６の上端の係止具２７を前記傾斜フレーム１０の戸先寄りに設けられた係止片２８に対し係脱自在としている。さらに詳しくは、前記錠箱２５内の駆動部は引戸１の内側に取り付けられた摘み部２９によって回転するカムプレート３０と、このカムプレート３０の両端に係合しカムプレート３０の回転により互いに相反する方向に上下動するように設けられた一対の可動体３１，３１と、この可動体３１，３１に延設され錠箱２５のフロントプレート３２の縦溝３３から引戸１の戸先側に水平に突出する連結板３４，３４とから構成される。そして、この連結板３４，３４の内、上側の連結板３４に取り付けられる前記動作部２４は連結板３４に重なってねじ止めされる下端の取付片３５およびこの取付片３５の上部に繋がり前記ロッド２６の下端がねじ止めされる上端の取付片３６とからなるジョイント部材３７と、このジョイント部材３７の取付片３６にねじ止めされる前記ロッド２６と、このロッド２６の上端に取り付けた前記係止具２７とから構成され、前記引戸１の戸先側端部に取り付けられるクッション材２２の内側に形成される中空部内に収納されるように構成されている。なお、引戸１の戸先側端部における上端には前記ロッド２６の上端の係止具２７の昇降を案内するガイド部材３８が取り付けられ、係止具２７はこのガイド部材３８に形成された孔部３８ａに嵌入した状態で昇降するようになっている。また、前記クッション材２２は引戸１の戸先側端部における引戸１の両角部に上下方向に取り付けたアルミ製の支持金具３９，３９の溝３９ａ，３９ａにクッション材２２の遊端部に取り付けた装着金具４０，４０を係合させることにより引戸１の戸先側端部に装着されるものである。
【００１６】
ところで、図面に示す実施の形態では一対の可動体３１，３１に延設された連結板３４，３４の内、上側の連結板３４にのみ動作部２４が取り付けられて上端側で施錠するようにしているが、上側の連結板３４に動作部２４を取り付ける代わりに下側の連結板３４に動作部を取り付けて下端側で施錠することも可能であり、さらに上下の連結板３４に動作部を取り付けて上下両端で施錠することも可能である。また、図面に示す実施の形態では傾斜するレール１１上を戸車８，９が引戸１の自重で戸先側に転動することにより、引戸１が自動的に閉動するようになっているが、水平なレールに引戸１を吊り下げ、戸先側に設けたぜんまいばねにより引っ張ることにより引戸１を閉じるようにした場合などにも実施できることはいうまでもない。
【図面の簡単な説明】
【００１７】
【図１】本発明の一実施の形態において点検用カバーを外した状態での引戸装置の全体構成を示す正面図である。
【図２】同引戸装置のクッション材を外した状態での側面図である。
【図３】同施錠が解除された状態での要部拡大正面図である。
【図４】同施錠状態での要部拡大正面図である。
【図５】同引戸の戸先側端部のクッション材を外した状態での拡大斜視図である。
【図６】同引戸の戸先側端部にクッション材を装着した状態での拡大断面図である。
【図７】同施錠装置の分解斜視図である。
【図８】同施錠装置取付部の拡大断面図である。
【符号の説明】
【００１８】
１        引戸
２        上枠
３        戸先側竪枠
４        戸尻側竪枠
５        床部
６，７    ブラケット
８，９    戸車
１１        レール
２２        クッション材
２３        施錠装置
２４        動作部
２５        錠箱
２６        ロッド
２７        係止具
２８        係止片
２９        摘み部
３０        カムプレート
３１        可動体
３２        フロントプレート
３３        縦溝
３４        連結板
３５        取付片
３６        取付片
３７        ジョイント部材
３８        ガイド部材
３８ａ      孔部
３９        支持金具
３９ａ      溝
４０        装着金具
【図１】
2008255729.tif 000003
【図２】
2008255729.tif 000004
【図３】
2008255729.tif 000005
【図４】
2008255729.tif 000006
【図５】
2008255729.tif 000007
【図６】
2008255729.tif 000008
【図７】
2008255729.tif 000009
【図８】
2008255729.tif 000010